(57)【要約】【課題】従来の閃光放電管用点灯回路においては、ＩＧＢＴ駆動回路が点灯時、消灯時にトリガーコイルが発生するノイズに影響を受けやすく、ＩＧＢＴ素子が誤動作して点灯時間が長くなり、正確な露出が得られないという課題を生じていた。【解決手段】本発明により、ＩＧＢＴ素子３のゲート３ａにＩＧＢＴ駆動回路４を設け、ＩＧＢＴ駆動回路４からの出力によりＩＧＢＴ素子のゲートをオフさせてキセノン放電管２の発光を停止して成る閃光放電管用点灯回路１において、ＩＧＢＴ駆動回路４には、このＩＧＢＴ駆動回路への消灯信号入力と同時に所定時間Ｌレベルを出力するタイマー回路７が並列に設けられ、ＩＧＢＴ駆動回路の出力とタイマー回路の出力とが点灯制御回路８を介してＩＧＢＴ素子のゲートに接続されている閃光放電管用点灯回路とすることで誤動作を防止し課題を解決する。【選択図】図１
2009128691.tif 000002
【特許請求の範囲】
【請求項１】
ＩＧＢＴ素子のゲートにＩＧＢＴ駆動回路を設け、該ＩＧＢＴ駆動回路からの出力により前記ＩＧＢＴ素子のゲートをオフさせてキセノン放電管の発光を停止して成る閃光放電管用点灯回路において、前記ＩＧＢＴ駆動回路には、このＩＧＢＴ駆動回路への消灯信号入力と同時に所定時間Ｌレベルを出力するタイマー回路が並列に設けられ、前記ＩＧＢＴ駆動回路の出力と前記タイマー回路の出力とが点灯制御回路を介して前記ＩＧＢＴ素子のゲートに接続されていることを特徴とする閃光放電管用点灯回路。
【発明の詳細な説明】
【技術分野】
【０００１】
本発明は、写真撮影時などに使用されストロボ装置など、キセノン放電管を点灯させるための点灯回路に関するものであり、詳細には、オートストロボなどと称されていて、フィルム、ＣＣＤ感光素子、ＭＯＳＦＥＴ感光素子などに対する感光量を被写体からの反射光で測定し、適正となったときには、キセノン放電管に直列に接続されたＩＧＢＴ（Insulated Gate Bipolar Transistor）と称されているスイッチング素子で放電を停止させる点灯回路の構成に係るものである。
【背景技術】
【０００２】
従来のこの種の点灯回路の例としては、例えば、図５に示すようなものがあり、発光手段（キセノン放電管）１９の光をモニタするモニタ手段２０７、２０９と、その出力を積分する積分手段２０８と、調整時点にて所定の発光条件で測定した基準積分量を記憶する積分出力記憶手段２１０と、撮影に際し予備発光を行うと共に基準積分量をもとに、発光積分予想量として、演算積分量をを算出する演算積分量算出手段２００と、予備発光時の積分量と演算積分量とを比較した差が所定値以内の場合は、積分は正常として実際の積分量により本発光を制御し、その差が所定値以上の場合は積分は不正常として演算積分量により本発光を制御する発光制御手段がある。
【０００３】
そして、積分、即ち、フィルム、ＣＣＤ感光素子などに対する露光量が異常となる原因としては、例えば、トリガーコイル２０２などからのノイズがＩＧＢＴを制御するセレクタ２０６に直接に飛び込み、このセレクタが誤動作して、再度、キセノン放電管１９を再点灯させ、露光量が増して露出過剰となるなどの事態を生じることが考えられる。
【特許文献１】特開平０９−１２７５８０号公報
【発明の開示】
【発明が解決しようとする課題】
【０００４】
よって、上記のように、例えば、演算積分量算出手段２００により予めに設定された発光量でキセノン放電管１９を点灯し、適正露出を得ようとした、上記従来の点灯回路においても、前記トリガーコイル２０２に対する配線の配置によっては、充分に影響を受ける可能性がある。
【０００５】
その場合には、前記演算積分量算出手段２００により制御された場合でも、積分手段２０８により制御された場合でも、キセノン放電管１９がＩＧＢＴにより消灯されるときにトリガーコイル２０２から発生するノイズ量は同じ値であり、何れの場合でも、キセノン放電管１９が再点灯する確率に変化はないという問題点を生じていた。
【課題を解決するための手段】
【０００６】
本発明は、前記した従来の課題を解決するための具体的手段として、ＩＧＢＴ素子のゲートにＩＧＢＴ駆動回路を設け、該ＩＧＢＴ駆動回路からの出力により前記ＩＧＢＴ素子のゲートをオフさせてキセノン放電管の発光を停止して成る閃光放電管用点灯回路において、前記ＩＧＢＴ駆動回路には、このＩＧＢＴ駆動回路へのオフ信号入力と同時に所定時間Ｌレベルを出力するタイマー回路が並列に設けられ、前記ＩＧＢＴ駆動回路の出力と前記タイマー回路の出力とが点灯制御回路を介して前記ＩＧＢＴ素子のゲートに接続されていることを特徴とする閃光放電管用点灯回路を提供することで、どのような回路を用いた場合にもキセノン放電管の再点灯を生じないものとして、課題を解決するものである。
【発明の効果】
【０００７】
本発明により、積分回路からの出力などによりＩＧＢＴ駆動回路に対して、ＩＧＢＴ素子のオフ信号が入力されると同時に、このオフ信号が入力されると同時に、出力がＬレベルとなり、そのＬレベルを所定時間維持するタイマー回路を設け、前記ＩＧＢＴ駆動回路の出力とＡＮＤ回路を介してＩＧＢＴ素子のゲートに接続する構成の閃光放電管用点灯回路としたことで、前記ＩＧＢＴ駆動回路がノイズなどによりＨレベルを出力する誤動作を生じるときにも、アンド回路の出力にＨレベルを生じるをなくし、キセノン放電管の再点灯を防止する効果を奏するものとする。
【０００８】
また、本発明によれば、付加される回路は、実質的には、小型ＩＣにより実現可能なタイマー回路と、点灯制御回路のみであり、それ程に大型化することなく、また、コストの上昇も少ない状態で、確実な性能向上が図れるものとなる効果を奏することができるものとなる。
【発明を実施するための最良の形態】
【０００９】
つぎに、本発明を図に示す実施形態に基づいて詳細に説明する。図１に符号１で示すものは、本発明に係る閃光放電管用点灯回路であり、この閃光放電管用点灯回路１は、基本的には、発光源であるキセノン放電管２と、前記キセノン放電管２に直列に接続されたＩＧＢＴ素子３と、前記ＩＧＢＴ素子３のゲート３ａに接続されたＩＧＢＴ駆動回路４と、前記キセノン放電管２で放電するための電力を蓄電するコンデンサ５と、前記キセノン放電管２の放電を開始させるトリガーコイル６から構成されている。
【００１０】
そして、前記ＩＧＢＴ駆動回路４に点灯信号が入力されると、ＩＧＢＴ駆動回路４は、前記ＩＧＢＴ素子３のゲート３ａに信号を送り、このＩＧＢＴ素子３を導通させると共に、前記トリガーコイル６により前記キセノン放電管２を点弧し、前記コンデンサ５に充電された電流を流し発光させる。
【００１１】
前記キセノン放電管２が発光した光の被写体などで反射したものは、図示は省略する積分回路などで積分され、積分量が所定量に達した時点で、適正露出に達したものとして、前記ＩＧＢＴ駆動回路４の入力端子４ａに信号を送り、前記ＩＧＢＴ駆動回路４はＩＧＢＴ素子３の導通を停止させ、キセノン放電管２の発光を停止させる。よって適正量の露光が行われるものとなる。
【００１２】
ここで、本発明では、前記ＩＧＢＴ駆動回路４の入力端子４ａを入力とするタイマー回路７が設けられている。尚、このタイマー回路７は所定の時限が設定できるものであり、例えば、上記従来技術の欄でも説明したようにトリガーコイル６が動作したときのノイズの影響を受けにくいものであれば、回路構成は如何なるものであっても良い。また、前記タイマー回路７に設定可能な時限は、前記トリガーコイル６が作動してノイズを放射している時限をカバーできるものであればよい。
【００１３】
そして、前記ＩＧＢＴ駆動回路４の出力端子４ｂと、前記タイマー回路７の出力端子７ｂとは、点灯制御回路８、例えば２入力のＡＮＤ回路などのそれぞれの入力端子に接続されており、このＡＮＤ回路の出力は前記ＩＧＢＴ素子３のゲート３ａに接続されている。従って、前記ＩＧＢＴ素子３は、前記ＩＧＢＴ駆動回路４と、タイマー回路７の双方がＨレベルであるとき以外は導通することはない。
【００１４】
ここで、本発明による閃光放電管用点灯回路１の作用、効果を明確とするために、図２に比較例として示す、前記タイマー回路７が設けられていない閃光放電管用点灯回路１０、つまり、通常に使用されているものと同等のものの、各部に生じる波形の説明を行う。先ず、図３に示すグラフは、閃光放電管用点灯回路１０の各部の波形を示すグラフであり、先ず、図３中に符号Ｔ１０で示す曲線は、トリガーコイル１６から生じる波形の形状を示すものであり、キセノン放電管１２の点灯時、及び、消灯時には、電流に急激な変化を生じて大きなノイズＮを発するものとなる。
【００１５】
前記ノイズＮは、例えば、電磁誘導などにより、前記ＩＧＢＴ駆動回路１４に影響を与えるものとなり、図３中に曲線Ｄ１０で示すように出力を変形させるものとなる。このときに、前記ＩＧＢＴ素子１３は、ゲート１３ａがＨレベルで導通し、Ｌレベルで遮断が行われるものであるので、曲線Ｄ１０中に前記ゲート１３ａが導通するに充分なＨレベルが含まれていると、前記ＩＧＢＴ駆動回路１４の出力にも曲線Ｅ１０に示すような変形部Ｅ１０ａを生じ、キセノン放電管１２は曲線Ｋ１０に示すように消灯が遅れ、適正露光をオーバーするものとなる。
【００１６】
ついで、本発明による各部の波形を示すものが図４であり、点灯、消灯時には曲線Ｔ１に示すようにノイズＮを含む波形が、トリガーコイル６から発せられる点は同様であり、そして、曲線Ｔ１に含まれるノイズＮにより前記ＩＧＢＴ駆動回路４の出力波形である曲線Ｄ１の出力も図示のように影響を受け変形する点も同様である。
【００１７】
しかしながら、本発明により、前記ＩＧＢＴ駆動回路４には並列にタイマー回路７が接続され、このタイマー回路７には図４中に曲線ＴＭで示すように、前記ＩＧＢＴ駆動回路４が前段の積分回路（図示は省略する）の出力によりＬレベルを出力する時点、即ち、適正露光に達した時点から所定時間、例えば、前記トリガーコイル６からのノイズＮが継続している期間はＬレベルを保つ時限が設定されている。
【００１８】
そして、前記ＩＧＢＴ駆動回路４の出力波形である曲線Ｅ１と、タイマー回路７からの曲線ＴＭとは、点灯制御回路８の入力側に入力されているので、上記に記載したように、例え、前記ＩＧＢＴ駆動回路４の側の出力にノイズによるＨレベルが適正露光に達した時限以後に出力されたとしても、ＩＧＢＴ素子３のゲート３ａが接続されている点灯制御回路８の出力はＨレベルになることはなく、よって、キセノン放電管２の再トリガーは行われることはなく、曲線Ｋ１に示すように適正露光が行われるものとなる。
【００１９】
また、本発明によれば、前記タイマー回路７もＩＣが１個の簡便で小形化が可能な構成であるので、例えば、カメラボデイの金属部分に囲まれている部分、あるいは、金属板などで囲みやすい場所など、トリガーコイル６からのノイズを遮蔽（シールド）しやすい部分に設置することが可能であり、実際の実施に当たっても設置場所の設定を理想的な位置に行い易いものとなる。
【００２０】
以上に説明したように、本発明によれば、キセノン放電管２の点灯時間を、被写体からの反射光の量などにより判定し、キセノン放電管２に直列に接続されたＩＧＢＴ素子３をオフして発光を停止させ適正露出を得るために設けられたＩＧＢＴ駆動回路４に対して、前記ＩＧＢＴ駆動回路４にオフ信号が加えられた時点から、適宜時間、Ｌレベルを出力するタイマー回路７を設け、更に、前記ＩＧＢＴ駆動回路４の出力と、前記タイマー回路７との出力をＡＮＤ回路を介してＩＧＢＴ素子３のゲート３ａに接続した閃光放電管用点灯回路１としたことで、トリガーコイル６などが生じるノイズで誤動作を生じることをなくし、この種の閃光放電管用点灯回路１に対して、適正露出の向上を可能とするものである。
【００２１】
また、上記の作用を得るときに、従来例に見られたように、マイクロコンピュータなど高度あるいは高価な回路素子を使用する必要がなく、それに伴い付属させる回路部品の点数なども低減できるので、装置自体の小形化、低コスト化も可能とするものであり、カメラ、ストロボ装置などの携帯性も向上させるものとなる。
【図面の簡単な説明】
【００２２】
【図１】本発明に係る閃光放電管用点灯回路の要部を示す回路図である。
【図２】本発明の閃光放電管用点灯回路との作用を比較するためにタイマー回路を省略した比較例の回路図である。
【図３】比較例における閃光放電管用点灯回路の要部の波形を示すグラフである。
【図４】本発明に係る閃光放電管用点灯回路の要部の波形を示すグラフである。
【図５】従来例を示す回路図である。
【符号の説明】
【００２３】
１…閃光放電管用点灯回路
２…キセノン放電管
３…ＩＧＢＴ素子
３ａ…ゲート
４…ＩＧＢＴ駆動回路
４ａ…入力端子
４ｂ…出力端子
５…コンデンサ
６…トリガーコイル
７…タイマー回路
７ｂ…出力端子
８…点灯制御回路
【図１】
2009128691.tif 000003
【図２】
2009128691.tif 000004
【図３】
2009128691.tif 000005
【図４】
2009128691.tif 000006
【図５】
2009128691.tif 000007